(57)【要約】【課題】放送した番組を受信装置側で再度聞くことができる機能を付加し、放送した情報の有効性を高めるとともに、受信側のニーズに応じた情報をできるだけ提供する。【解決手段】蓄積型放送スケジュール管理装置１２は、番組の放送スケジュール登録時において、該番組データの放送希望時刻から保存期間終了時刻までの期間における端末装置の専用メモリの空き容量と、番組データのデータ容量とに基づいて、当該番組データの放送が可能か否かを判断し、放送可能であると判断された場合に、放送希望時刻に当該番組データの放送を行う旨のスケジュール登録を行う。【選択図】　図１
2004023439.tif 000002
【特許請求の範囲】
【請求項１】
番組データに付加されている保存期間情報に従って、該番組データを専用メモリに保存する番組受信装置に対して、番組データを放送するスケジュールを管理する蓄積型放送スケジュール管理装置であって、
番組の放送スケジュール登録時において、該番組データの放送希望時刻から前記保存期間終了時刻までの期間における前記端末装置の専用メモリの空き容量と、前記番組データのデータ容量とに基づいて、当該番組データの放送が可能か否かを判断する判断手段と、
放送可能であると判断された場合に、放送希望時刻に当該番組データの放送を行う旨のスケジュール登録を行うスケジューリング手段と
を具備する蓄積型放送スケジュール管理装置。
【請求項２】
前記保存期間情報が付加された前記番組データと、前記放送スケジュールとを放送装置に対して出力する請求項１に記載の蓄積型放送スケジュール管理装置。
【請求項３】
前記番組のデータ容量と前記保存期間とに応じた金銭を番組放送料金として算定する放送料金決定手段を具備する請求項１又は請求項２に記載の蓄積型放送スケジュール管理装置。
【請求項４】
番組データを保存するための専用メモリと、
受信した番組データに保存期間情報が付加されていた場合に、該保存期間が経過するまで、当該番組データを前記専用メモリに保存するメモリ管理手段と
を具備する番組受信装置。
【請求項５】
表示エリアが特定されている地域限定番組データと、共通番組データとからなる番組ファイルを保存するための専用メモリと、
受信した番組ファイルに保存期間情報が付加されていた場合には、該保存期間が経過するまで、当該番組ファイルを前記専用メモリに保存するメモリ管理手段と、
現在の位置情報を取得する位置情報取得手段と、
現在の位置情報に対応する表示エリアの地域限定番組データが存在する場合には、該地域限定番組データと前記共通番組データとを再生する番組再生手段と
を具備する番組受信装置。
【発明の詳細な説明】
【０００１】
【発明の属する技術分野】
本発明は、番組を放送する際のスケジュールを管理する蓄積型放送スケジュール管理装置及び番組データを受信する番組受信装置に関する。
【０００２】
【従来の技術】
これまでの自動車等の移動体向けの広告・番組の放送は、スポンサー等の番組提供者がカーラジオ向けの番組製作を代理店に依頼し、完成したものをカーラジオ向けに放送し、聴取者はこれを聞き流すというものであった。
【０００３】
【発明が解決しようとする課題】
しかしながら、上述したような従来の番組放送においては、以下の問題があった。
１）聞き流しが基本的な構造であるため、情報提供は一過性であり、放送した番組の有効性が低い。また、録音等をして後に再度聞くこともできるが、これは視聴者の嗜好によるところが大きく、送り側が期待するような宣伝効果が得られない。
２）放送のカバーエリアが広範であるため、特定エリアの情報をピンポイントで提供することができず、利用者のニーズに応じた情報提供が困難である。
３）番組制作や放送枠の確保等に専門的ノウハウを必要とするため、広告制作は広告代理店等に任せざるを得ず、広告制作・放送の柔軟性に欠け、コスト高なものとなってしまう。
【０００４】
本発明はこのような事情に鑑みてなされたもので、受信側のニーズに応じた情報を提供することができるとともに、放送提供側の期待する宣伝効果も得ることができる蓄積型放送スケジューリング管理装置及び番組受信装置を提供することを目的とする。
【０００５】
【課題を解決するための手段】
上記目的を達成するために、本発明は、番組データに付加されている保存期間情報に従って、該番組データを専用メモリに保存する番組受信装置に対して、番組データを放送するスケジュールを管理する蓄積型放送スケジュール管理装置であって、番組の放送スケジュール登録時において、該番組データの放送希望時刻から前記保存期間終了時刻までの期間における前記端末装置の専用メモリの空き容量と、前記番組データのデータ容量とに基づいて、当該番組データの放送が可能か否かを判断する判断手段と、放送可能であると判断された場合に、放送希望時刻に当該番組データの放送を行う旨のスケジュール登録を行うスケジューリング手段とを具備する蓄積型放送スケジュール管理装置を提供する。
【０００６】
この発明によれば、番組受信装置に保存させる番組データの放送開始時刻だけでなく、番組の保存期間も考慮して番組データの放送スケジューリングを行うので、番組受信装置側において、メモリ獲得の競合が生ずることなく、確実に放送した番組を保存させることが可能となる。
【０００７】
また、本発明の蓄積型スケジュール管理装置は、前記保存期間情報が付加された前記番組データと、前記放送スケジュールとを放送装置に対して出力することを特徴とする。
【０００８】
また、本発明の蓄積型スケジュール管理装置は、前記番組のデータ容量と前記保存期間とに応じた金銭を番組放送料金として算定する放送料金決定手段を具備することを特徴とする。
【０００９】
また、本発明は、番組データを保存するための専用メモリと、受信した番組データに保存期間情報が付加されていた場合に、該保存期間が経過するまで、当該番組データを前記専用メモリに保存するメモリ管理手段とを具備する番組受信装置を提供する。
【００１０】
この本発明によれば、番組データを保存するものの、保存したデータは保存期間が経過すればメモリから消去されるので、メモリを効率よく使用することが可能となる。
【００１１】
また、本発明は、表示エリアが特定されている地域限定番組データと、共通番組データとからなる番組ファイルを保存するための専用メモリと、受信した番組ファイルに保存期間情報が付加されていた場合には、該保存期間が経過するまで、当該番組ファイルを前記専用メモリに保存するメモリ管理手段と、現在の位置情報を取得する位置情報取得手段と、現在の位置情報が表示エリアに含まれている地域限定番組データが存在する場合には、該地域限定番組データを前記共通番組データとともに再生する番組再生手段とを具備する番組受信装置を提供する。
【００１２】
この発明によれば、共通番組データとともに、現在位置に対応した地域限定データが再生されるので、利用者は地域に密着した非常に有効な情報を取得することができる。
【００１３】
【発明の実施の形態】
以下、図面を参照し、本発明の一実施形態について説明する。
図１は本発明の一実施形態における蓄積型放送スケジュール管理装置が適用される番組放送システムのシステム構成を示す図である。
同図において、番組放送管理サーバ１は、放送依頼者端末３から受信した番組データ制作に係る情報に基づいて番組データを制作する番組データ制作装置１１と、制作された番組をどのようなスケジュールで放送するかを管理する蓄積型放送スケジュール管理装置１２（以下、単に放送スケジュール管理装置１２と略称する）と、番組データ制作装置１１によって制作された番組データが蓄積される番組データベース（番組ＤＢ）１３とから構成されている。
番組放送管理サーバ１及び放送依頼者端末３は、ＩＰ網２とそれぞれ接続され、ＩＰ網２を介して両者間での情報のやりとりが行えるようになっている。
なお、放送依頼者端末３は、放送依頼者が使用する端末装置であり、パーソナルコンピュータや、移動体通信端末等の各種端末装置が使用される。
【００１４】
また、番組放送管理サーバ１内の放送スケジュール管理装置１２は、所定のタイミングで、自己が管理している放送スケジュールや、放送予定の番組データを番組ＤＢ１３から読み出して放送装置４へ送出する。
これにより、放送装置４は、放送スケジュール管理装置１２から受け取った放送スケジュールに基づいて、該当する番組を放送する。
放送された番組データは、番組受信装置５によって受信され、番組受信装置５が備える番組データ保存用の専用メモリに保存される。なお、この専用メモリのメモリ容量はいずれの番組受信装置５においても同容量である。
また、番組受信装置５としては、例えば、カーナビゲーションシステム等の車載用通信端末、携帯電話機、ＰＨＳ（登録商標）、ＰＤＡ（Ｐｅｒｓｏｎａｌ　Ｄｉｇｉｔａｌ　Ａｓｓｉｓｔａｎｔｓ：個人用情報機器）等の携帯可能な端末が例として挙げられる。
【００１５】
次に、番組放送管理サーバ１の動作について説明する。
まず、放送依頼者Ａは、放送依頼者端末３を介して、映像データ、音声データ等を番組放送管理サーバ１へ送信することにより、番組データを簡単に作成依頼することができる。ここで、番組データは、再生する地域（エリア）が限定される地域限定の番組データと、地域に拘わらず常に再生する共通番組データとに分けられる。
【００１６】
例えば、複数の店舗を全国規模で展開している大手スーパーマーケットが自社の宣伝を行う場合、そのスーパーマーケット全店共通の広告と、各店舗特有の広告（例えば、○○店のおすすめ情報、営業時間、最新情報など）とを併せて宣伝したい場合がある。この場合、世田谷店のスーパーマーケットの特売広告を大阪で宣伝しても無意味であるため、このような表示地域が限られるような広告に対しては、その広告を再生（表示）させる地域情報を付加することにより、その広告を再生させる地域を限定させることができる。
【００１７】
放送依頼者Ａは、放送依頼者端末３から上記共通番組データ、地域限定番組データを制作するために必要となる映像データ、音声データ、文字データ、また、地域限定番組データについては、各番組データに対応する位置情報などを放送管理サーバ１へ送信する。
放送管理サーバ１は、これらのデータを受信すると、所定の処理プログラムに従って受信した各種データを加工し、放送に適した番組データに仕上げる。そして、処理後の番組データを１つの番組ファイルに格納し、この番組ファイルを番組ＤＢ１３に保存する。なお、このとき制作した番組ファイルにはそのファイルを特定するための識別番号（番組ファイルＩＤ）を付与する。
【００１８】
番組データ制作装置１１によって上記処理が行われることにより、番組ＤＢ１３には、図２に示すような番組ファイルが複数格納されることとなる。
図２に示すように、各番組ファイルは番組ファイルＩＤによって識別できるとともに、ファイル全体のデータ容量が登録されている。
なお、番組ファイル内の共通番組データ、地域限定番組データは、例えば、テレビコマーシャルのように音声データと映像データとからなるものであってもよいし、文字データのみで構成される文字放送であっても良い。また、これらの組み合わせであっても良く、特にその態様については問わない。
【００１９】
なお、上記番組ＤＢ１３は、コンピュータ読み取り可能な記憶媒体であれば良く、例えば、半導体メモリや磁気ディスク等でもよく、また、光ディスク（ＣＤ−ＲＯＭ／Ｒ／ＲＷ、ＤＶＤ−ＲＯＭ、ＤＶＤ−Ｒ／ＲＷ、ＤＶＤ−ＲＡＭ等）、光磁気ディスク（ＭＯ，ＭＤ等）、磁気記憶媒体（ＨＤＤ、ＦＤ、磁気テープ等）、半導体メモリ（ＭＳ、ＳＤカード等のフラッシュメモリ、ＦｅＲＡＭ等）などの可搬型記録媒体であってもよい。
あるいはこれらの組み合わせによるコンピュータ読み取り、書き込み可能な記録媒体より構成されるものとする。
【００２０】
次に、番組制作装置１１に対して番組制作を依頼した放送依頼者Ａは、続いて、制作した番組の放送開始時刻と、保存期間とを放送依頼者端末３から入力し、放送管理サーバ１へ送信する。ここで、保存期間とは、当該番組ファイルが番組受信装置５が備える専用メモリ（図５参照）に保存される期間をいう。即ち、保存期間として「７日」と指定した場合には、放送された番組ファイルは番組受信装置５が備える専用メモリに７日間保存されることとなる。
【００２１】
続いて、放送管理サーバ１は、上記放送開始時刻と、保存期間とを放送依頼者端末３から受信すると、これらの情報を放送スケジュール管理装置１２へ供給する。また、この情報とともに、放送依頼者Ａから制作依頼された番組データの番組ファイルＩＤ、データ容量が番組データ制作装置１１から供給される。
ここで、放送スケジュール管理装置１２を機能展開したものを図３に示す。
【００２２】
図３に示すように、番組ファイルＩＤ、放送希望時刻、データ容量、保存期間の情報は、判断部１１１に供給される。
判断部１１１は、放送スケジュール１１４を参照して、放送希望時刻に当該番組ファイルを放送可能か否かを判断する。
ここで、放送スケジュール１１４は、番組受信装置５が備える専用メモリのメモリ占有の予約状態の遷移を示したものである。
【００２３】
即ち、本実施形態では、番組受信装置５は、放送された番組データを専用メモリに保存する。また、その保存期間は、当該番組ファイルに付加されている保存期間に一致する。
従って、この放送スケジュール１１４を参照することによって、番組受信装置５の専用メモリに、どのような番組データがどのように保存される予定であるかを判断部１１１は簡単に認識することができる。
【００２４】
図４に、放送スケジュール１１４の一例を示す。
この図において、横軸は時刻、縦軸は番組受信装置５が備える専用メモリのメモリ容量を示している。なお、本実施形態では、専用メモリはγＭＢであるとしている。
この図によれば、○時○分○秒から番組ファイルＩＤ「１」の番組ファイルが放送装置から放送され、当該番組ファイルが専用メモリにＬ１分間、保存されることが予約されている。これにより、当該番組ファイルが保存されている間の専用メモリの空き容量は、図下に示すように、（γ−α）ＭＢとなる。
また、×時×分×秒には、番組ファイルＩＤ「２」の番組ファイルが放送装置４から放送され、当該番組ファイルが専用メモリにＬ２分間保存されることが予約されている。そして、番組ファイルＩＤ「２」の番組ファイルが保存されることにより、専用メモリの空き容量は（γ−α−β）ＭＢに減少する。
【００２５】
そして、番組ファイルＩＤ「１」の番組ファイルを保存してから、Ｌ１分間経過すると、番組受信装置５は、番組ファイルＩＤ「１」の番組ファイルを専用メモリ内から消去する。これにより、番組ファイルＩＤ「１」の番組ファイルが保存されていたメモリ容量が空き容量となり、この空き容量に新たな番組ファイルを保存することが可能となる。
【００２６】
なお、当該放送スケジュール１１４に登録されている放送開始時刻は、放送装置４が番組ファイルの放送を開始する時刻であり、番組受信装置５が専用メモリに当該番組ファイルを保存する時刻ではない。即ち、実際には、放送装置４から番組ファイルが放送されてから、番組受信装置５がその番組ファイルを受信し、専用メモリに保存するまでには、タイムラグが生じる。従って、このスケジュールに登録されている時刻には、少々の誤差が含まれていることとなる。
【００２７】
図３に戻り、判断部１１１は、供給された放送希望時刻から保存期間終了時刻までの期間における専用メモリの空き容量と、番組データのデータ容量とを比較し、空き容量が当該番組ファイルのデータ容量以上であれば、当該番組ファイルの放送が可能であると判断し、判断結果をスケジュール登録部１１２へ出力する。
スケジュール登録部１１２は、当該番組ファイルの保存期間とデータ容量とを放送料金決定部１１３へ出力する。これにより、放送料金決定部１１３は、番組ファイルのデータ容量と保存期間とに応じた金銭を番組放送料金として算定し、算定した番組放送料金をＩＰ網を介して放送依頼者端末３へ送信することにより、放送依頼者Ａに対して放送料金の金額を通知し、放送依頼端末３に番組放送料金を表示させ、放送依頼者Ａに対して諾否の入力を促す。
【００２８】
続いて、スケジュール登録部１１２は、放送依頼者Ａからの応諾を受信すると、図４に示した放送スケジュール１１４に、当該番組ファイルのスケジュール登録を行う。これにより、放送依頼者Ａが指定した放送希望時刻に当該番組ファイルの放送が行われること、及び該放送希望時刻から保存期間終了までの期間、当該番組ファイルが番組受信装置５の専用メモリに保存されることが予約される。なお、判断部１１１により、空き容量が番組ファイルのデータ容量未満であると判断された場合には、この放送希望時刻では登録が不可能なため、スケジュール登録部１１２は、その旨をＩＰ網２を介して放送依頼者端末３へ送信する。
【００２９】
次に、放送スケジュール管理装置１２は、所定のタイミングで（例えば、６時間毎など）、次に放送する分の放送スケジュール１１４（例えば、次の６時間分の放送スケジュール）と、その放送スケジュールに登録されている番組ファイルと、及びその番組ファイルの保存期間とを放送部１１５へ供給する。なお、番組ファイルは、放送スケジュール１１４に登録されている番組ファイルＩＤに基づいて番組ＤＢ１３から読み出して、供給する。
【００３０】
放送部１１５は、供給された放送スケジュールと番組ファイルとを放送装置４へ送出する。これにより、放送装置４は、放送部１１５から供給された放送スケジュールに基づいて、該当する番組ファイルを放送する。放送装置４は、この番組ファイルに、その番組ファイルの保存期間を付加して放送する。
【００３１】
放送装置４により放送された保存期間が付加された番組ファイルは、番組受信装置５によって受信され、専用メモリに保存される。
以下、番組受信装置５について説明する。
図５は、本実施形態に係る番組受信装置５として、カーナビゲーションシステムを例に挙げた場合の内部構成を示すブロック図である。
【００３２】
同図に示すように、番組受信装置５は、装置内の回路各部を制御するＣＰＵ（中央処理装置）５１、ＣＰＵ５１のプログラムが記憶されたＲＯＭ（Ｒｅａｄ　Ｏｎｌｙ　Ｍｅｍｏｒｙ）５２、ＣＰＵ５１の処理実行中に発生するデータ等を格納するＲＡＭ（Ｒａｎｄｏｍ　Ａｃｃｅｓｓ　Ｍｅｍｏｒｙ）５３、放送装置４から受信した番組ファイルを格納するための専用メモリ５４、全国の地図データが蓄積されている地図データ格納メモリ５５、各種操作を行うための操作部５６、放送装置４から放送される番組ファイルを受信したり、外部機器と無線により通信を行うための通信部５７、周知技術であるＧＰＳ（Ｇｌｏｂａｌ　Ｐｏｓｉｔｉｏｎｉｎｇ　Ｓｙｓｔｅｍ）を用いて位置検出（三角測量など）を行う位置検出部５８、液晶表示パネル及び表示制御回路から構成され、ＣＰＵ５１から供給される映像データを表示させる表示部５９、音声を出力するスピーカ６０、及び時計部６１を備えている。
【００３３】
上記ＲＯＭ５２には、ナビゲーションを行うためのナビゲーションプログラム、専用メモリ５４のメモリ管理を行うプログラム、操作部５６によって画面の切り替わり等が行われた場合の画面切り替えに関するプログラムなど、各種プログラムが格納されている。
【００３４】
上記構成からなる番組受信装置５において、通信部５７が放送装置４からの番組ファイルを受信した場合には、ＣＰＵ５１は、受信した番組ファイルを専用メモリ５４に保存する。続いて、ＣＰＵ５１は、現在時刻を時計部６１から取得し、現在時刻に保存期間を加算した時刻情報を当該番組ファイルＩＤに対応付けてＲＡＭ５３に格納する。これにより、保存期間を経過した番組ファイルについては、速やかに専用メモリ５４から消去することができる。
【００３５】
次に、専用メモリ５４に保存されている番組データを再生（表示）させる場合の処理について説明する。
例えば、カーナビゲーションが起動されており、図６（ａ）に示すような地図が表示部５９に表示されている場合には、ＣＰＵ５１はナビゲーションプログラムと並行して以下に示す処理を行う。
まず、ＣＰＵ５１は、専用メモリ５４に保存されている各地域限定番組データの内、表示すべきエリアとして登録されている位置情報が、ナビゲーション画面に表示されている範囲内に存在する地域限定番組データを抽出する。即ち、図６（ａ）に表示されている地域内に、位置情報を有する地域限定番組データを抽出する。そして、それぞれ地域限定番組データの位置情報に対応するナビゲーション画面上の位置に印をつける。
例えば、図６（ｂ）に示すように、地域限定番組データの位置情報に対応する位置に丸印を付し、アイコン表示を行う。
【００３６】
次に、操作部５６が操作され、表示部５９に表示されている印がクリックされると、ＣＰＵ５１は、この印に対応付けられている地域限定番組データと、その地域限定番組データと同じファイル内にある共通番組データとを専用メモリ５４から読み出し、読み出した番組データを表示部５９に出力する。
【００３７】
これにより、番組データが再生され、表示部５９には、図６（ｃ）に示すように、共通番組データが大きく表示されるとともに、地域限定番組データとしてその店舗のおすすめ情報が表示画面の一部に表示される。
【００３８】
また、カーナビゲーションではなく、図７（ａ）に示すように交通情報センタから流されている番組や、テレビ番組などが表示部５９に映し出されている場合には、ＣＰＵ５１は以下のような処理を行う。
このような場合でも、位置検出部５８によって定期的に現在の位置情報が取得されている。ＣＰＵ５１は位置検出部５８によって位置情報が取得される毎に、その位置情報に該当する位置情報が登録されている地域限定番組データを専用メモリ５４から検索する。そして、検索の結果、該当する地域限定番組データが存在した場合には、その地域限定番組データと、その地域限定番組データと同じファイル内にある共通番組データとを専用メモリ５４から読み出し、読み出した番組データを表示部５９に出力する。
【００３９】
これにより、自動的に番組データが再生され、表示部５９には、図７（ｂ）に示すように共通番組データが大きく表示されるとともに、地位限定番組データがその一部に表示される。
そして、当該番組データの放送が終了すると、図７（ｃ）に示すように、次の番組が表示部５９に表示される。
【００４０】
また、蓄積された番組を再生するためには、操作部５６の表示モード切替を操作し、手動によりカーナビゲーションのモードに切替え、表示部５９に表示されている印をクリックする。
なお、印を付す際には、カーナビゲーションの画面に表示されている地域内に位置情報を有する地域限定番組データが存在する場合に、対応する位置に印を付す。
【００４１】
このように、専用メモリ５４に保存されている番組データの中から番組受信装置５の現在位置付近の地域限定番組データを読み出し、その地域限定番組データを共通番組データとともに再生するので、一方的な情報の提供だけでなく、地域に密着した非常に有益な情報をも提供することが可能となる。
【００４２】
以上、この発明の実施形態を図面を参照して詳述してきたが、具体的な構成はこの実施形態に限られるものではなく、この発明の要旨を逸脱しない範囲の設計等も含まれる。
【００４３】
例えば、上記地域限定番組データに付加する位置情報については、ある範囲を有する位置情報として設定しても良いし、ピンポイントの位置情報を設定しても良い。例えば、前者が住所の何丁目までを規定するような位置情報とすれば、後者は、番地や建物などを特定するような位置情報となる。
【００４４】
例えば、図３に示した本実施形態における放送スケジュール管理装置１２の機能を実現するためのプログラムをコンピュータ読み取り可能な記録媒体に記録して、この記録媒体に記録されたプログラムをコンピュータシステムに読み込ませ、実行することにより各種の処理を実行してもよい。
なお、ここでいう「コンピュータシステム」とは、ＯＳや周辺機器等のハードウェアを含むものとする。
【００４５】
また、「コンピュータ読み取り可能な記録媒体」とは、例えば、ＣＤ−ＲＯＭ等の光ディスク、ＭＯ、ＭＤ等の光磁気ディスク、ＨＤＤ、ＦＤ等の磁気記憶媒体、フラッシュメモリ等の半導体メモリなどの可搬型記録媒体、コンピュータシステムに内蔵されるハードディスク等の記憶装置のことをいう。
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４６】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００４７】
【発明の効果】
以上説明したように、本発明の蓄積型放送スケジューリング管理装置によれば、番組受信装置に保存させる番組データの放送開始時刻だけでなく、番組の保存期間も考慮して番組データの放送スケジューリングを行うので、番組受信装置側において、メモリ獲得の競合が生ずることなく、確実に放送した番組を保存させることができる。
【００４８】
また、本発明の番組受信装置によれば、番組データを保存するものの、保存したデータは保存期間が経過すればメモリから消去されるので、メモリを効率よく使用することが可能となる。これにより、多くの番組を効率良く保存することができる。
【００４９】
また、本発明の番組受信装置によれば、共通番組データとともに、現在位置に対応した地域限定データを再生するので、利用者に対して地域に根ざした有益な情報を提供することができる。これにより、放送した情報の有効性を高めるとともに、受信側のニーズに応じた情報をできるだけ提供することができる。
【図面の簡単な説明】
【図１】この発明の一実施形態に係る放送システムのシステム構成を示す図である。
【図２】番組データベースに格納される番組ファイルの内容を示す図である。
【図３】本発明の一実施形態に係る蓄積型放送スケジュール管理装置の機能展開したブロック図である。
【図４】放送スケジュールの一例を示す図である。
【図５】番組受信装置の構成を示す図である。
【図６】カーナビゲーションシステム起動時において、番組データを表示部に表示させる場合の画面遷移を示す図である。
【図７】テレビなどの番組を受信している場合において、番組データを表示部に表示させる場合の画面遷移を示す図である。
【符号の説明】
１　番組放送管理サーバ
２　ＩＰ網
３　放送依頼者端末
４　放送装置
５　番組受信装置
１１　番組データ制作装置
１２　蓄積型放送スケジュール管理装置
１３　番組ＤＢ
５１　ＣＰＵ
５２　ＲＯＭ
５３　ＲＡＭ
５４　専用メモリ
５５　地図データ格納メモリ
５６　操作部
５７　通信部
５８　位置検出部
５９　表示部
６０　スピーカ
６１　時計部
１１１　判断部
１１２　スケジュール登録部
１１３　放送料金決定部
１１４　放送スケジュール
１１５　放送部
【図１】
2004023439.tif 000003
【図２】
2004023439.tif 000004
【図３】
2004023439.tif 000005
【図４】
2004023439.tif 000006
【図５】
2004023439.tif 000007
【図６】
2004023439.tif 000008
【図７】
2004023439.tif 000009